(57)【要約】  機器制御装置（１０）は、建物（１００）内のネットワーク（６０）に接続されている機器（２０）から機器（２０）のメーカ情報を含む機器情報を収集する収集部（１２）と、収集部（１２）が機器（２０）から収集した機器情報をもとに機器（２０）の機器名をユーザインタフェース装置（３０）の画面に表示させる表示制御部（１４）と、画面に機器名が表示された機器（２０）が管理対象として選択されると、選択された機器（２０）を記憶部（１８）に登録する登録処理部（１６）とを備え、表示制御部（１４）は、他メーカよりも優先度の高いメーカである特定メーカのメーカ情報を保持し、機器（２０）のメーカ情報が特定メーカのメーカ情報に一致する場合、機器（２０）のメーカ情報が特定メーカのメーカ情報に一致しない場合よりも優先的に機器（２０）の機器名が視認されるように、機器（２０）の機器名を画面に表示させる。
2016038882.tif 000002
【特許請求の範囲】
【請求項１】
建物内のネットワークに接続されている機器から前記機器のメーカ情報を含む機器情報を収集する収集部と、
前記収集部が前記機器から収集した前記機器情報をもとに前記機器の機器名をユーザインタフェース装置の画面に表示させる表示制御部と、
前記画面に機器名が表示された前記機器が管理対象として選択されると、選択された前記機器を記憶部に登録する登録処理部とを備え、
前記表示制御部は、他メーカよりも優先度の高いメーカである特定メーカのメーカ情報を保持し、
前記表示制御部は、前記機器のメーカ情報が前記特定メーカのメーカ情報に一致する場合、前記機器のメーカ情報が前記特定メーカのメーカ情報に一致しない場合よりも優先的に前記機器の機器名が視認されるように、前記機器の機器名を前記画面に表示させる
機器制御装置。
【請求項２】
前記収集部は、それぞれが前記建物内のネットワークに接続されている前記機器である複数の機器のそれぞれから前記機器情報を受信することにより、前記複数の機器から前記機器情報を収集し、
前記表示制御部は、前記複数の機器の複数の機器名を前記画面に上下に並べて表示させ、
前記収集部が前記機器情報を受信するたびに、前記表示制御部は、前記機器情報を受信した順番で機器名を表示させ、
前記収集部が前記機器情報を収集する収集処理を終了した後に、前記表示制御部は、前記複数の機器のうちメーカ情報が前記特定メーカのメーカ情報に一致する機器の機器名が、前記複数の機器のうちメーカ情報が前記特定メーカのメーカ情報に一致しない機器の機器名よりも上側に表示されるように、表示順序を並べ替えて、前記複数の機器名を前記画面に表示させる
請求項１に記載の機器制御装置。
【請求項３】
前記収集部は、それぞれが前記建物内のネットワークに接続されている前記機器である複数の機器のそれぞれから前記機器情報を受信することにより、前記複数の機器から前記機器情報を収集し、
前記表示制御部は、前記複数の機器の複数の機器名を前記画面に上下に並べて表示させ、
前記収集部が前記機器情報を受信するたびに、前記表示制御部は、前記複数の機器のうちメーカ情報が前記特定メーカのメーカ情報に一致する機器の機器名が、前記複数の機器のうちメーカ情報が前記特定メーカのメーカ情報に一致しない機器の機器名よりも上側に表示されるように、表示順序を並べ替えて、前記機器情報が受信された機器の機器名を前記画面に表示させる
請求項１に記載の機器制御装置。
【請求項４】
前記収集部は、それぞれが前記建物内のネットワークに接続されている前記機器である複数の機器のそれぞれから前記機器情報を受信することにより、前記複数の機器から前記機器情報を収集し、
前記表示制御部は、前記複数の機器の複数の機器名を前記画面に上下に並べて表示させ、
前記収集部が前記機器情報を収集する収集処理を終了した後に、前記複数の機器のうちメーカ情報が前記特定メーカのメーカ情報に一致する機器の機器名が、前記複数の機器のうちメーカ情報が前記特定メーカのメーカ情報に一致しない機器の機器名よりも上側に表示されるように、前記複数の機器名を前記画面に表示させる
請求項１に記載の機器制御装置。
【請求項５】
前記表示制御部は、複数のメーカで共通化された通信規約の標準仕様に準拠している機器のリストを保持し、
前記表示制御部は、前記機器情報が収集された機器が前記リストに含まれている場合、前記機器情報が収集された機器が前記リストに含まれていない場合とは異なる表示形式で前記機器の機器名を前記画面に表示させる
請求項１〜４の何れか１項に記載の機器制御装置。
【請求項６】
前記収集部は、それぞれが前記建物内のネットワークに接続されている前記機器である複数の機器のそれぞれから前記機器情報を受信することにより、前記複数の機器から前記機器情報を収集し、
前記表示制御部は、複数のメーカで共通化された通信規約の標準仕様に準拠している機器のリストを保持し、
前記表示制御部は、前記複数の機器の複数の機器名を前記画面に上下に並べて表示させ、
前記表示制御部は、前記複数の機器のうちメーカ情報が前記特定メーカのメーカ情報に一致する機器であって前記リストに含まれていない機器の機器名よりも、前記複数の機器のうちメーカ情報が前記特定メーカのメーカ情報に一致する機器であって前記リストに含まれている機器の機器名が上側に表示されるように、前記複数の機器名を前記画面に表示させる
請求項１〜５の何れか１項に記載の機器制御装置。
【請求項７】
前記収集部は、それぞれが前記建物内のネットワークに接続されている前記機器である複数の機器のそれぞれから前記機器情報を受信することにより、前記複数の機器から前記機器情報を収集し、
前記表示制御部は、複数のメーカで共通化された通信規約の標準仕様に準拠している機器のリストを保持し、
前記表示制御部は、前記複数の機器の複数の機器名を前記画面に上下に並べて表示させ、
前記表示制御部は、前記複数の機器のうちメーカ情報が前記特定メーカのメーカ情報に一致しない機器であって前記リストに含まれている機器の機器名よりも、前記複数の機器のうちメーカ情報が前記特定メーカのメーカ情報に一致しない機器であって前記リストに含まれていない前記機器の機器名が下側に表示されるように、前記複数の機器名を前記画面に表示させる
請求項１〜６の何れか１項に記載の機器制御装置。
【請求項８】
前記表示制御部は、前記特定メーカ以外の複数のメーカのそれぞれに対して、表示の優先度を保持し、
前記表示制御部は、前記機器のメーカ情報が前記特定メーカのメーカ情報に一致しない場合において、前記機器のメーカが第２メーカよりも優先度の高い第１メーカである場合、前記機器のメーカが前記第２メーカである場合よりも優先的に視認されるように、前記機器の機器名を前記画面に表示させる
請求項１〜７の何れか１項に記載の機器制御装置。
【請求項９】
建物内のネットワークに接続されている機器から前記機器のメーカ情報を含む機器情報を収集する収集部と、
前記収集部が前記機器から収集した前記機器情報をもとに前記機器の機器名をユーザインタフェース装置の画面に表示させる表示制御部と、
前記画面に機器名が表示された前記機器が管理対象として選択されると、選択された前記機器を記憶部に登録する登録処理部とを備え、
前記表示制御部は、他メーカよりも優先度の高いメーカである特定メーカのメーカ情報を保持し、
前記表示制御部は、前記機器のメーカ情報が前記特定メーカのメーカ情報に一致する場合、前記機器のメーカ情報が前記特定メーカのメーカ情報に一致しない場合よりも優先的に前記機器の機器名が視認されるように、前記機器の機器名を前記画面に表示させる
機器制御システム。
【請求項１０】
建物内のネットワークに接続されている機器から前記機器のメーカ情報を含む機器情報を収集する収集ステップと、
前記収集ステップで前記機器から収集した前記機器情報をもとに前記機器の機器名をユーザインタフェース装置の画面に表示させる表示制御ステップと、
前記画面に機器名が表示された前記機器が管理対象として選択されると、選択された前記機器を記憶部に登録する登録処理ステップとを含み、
前記表示制御ステップでは、前記機器のメーカ情報が、他メーカよりも優先度の高いメーカである特定メーカのメーカ情報に一致する場合、前記機器のメーカ情報が前記特定メーカのメーカ情報に一致しない場合よりも優先的に前記機器の機器名が視認されるように、前記機器の機器名を前記画面に表示させる
機器制御方法。
【発明の詳細な説明】
【技術分野】
【０００１】
本発明は、機器制御装置等に関し、より詳細には、建物内のネットワークに接続されている機器の監視又は制御を行う機器制御装置等に関する。
【背景技術】
【０００２】
従来、無線ＬＡＮを使って、各種機器を制御するリモートコントロール装置が提案されている（例えば特許文献１参照）。【０００３】
このリモートコントロール装置では、ネットワーク接続機器検出アイコンが操作されると、ネットワークに接続されている機器群が検出され、新規検出順に機器がアイコンで表示されている。
【先行技術文献】
【特許文献】
【０００４】
【特許文献１】特開２００３−３０９８８４号公報
【発明の概要】
【発明が解決しようとする課題】
【０００５】
上述のリモートコントロール装置は、ネットワークに接続されている機器を検出すると、その検出順に機器をアイコンで表示している。リモートコントロール装置と操作対象の機器のメーカが異なる場合、機器が備える全ての機能にリモートコントロール装置が対応していない可能性がある。このようなメーカの機器をリモートコントロール装置で操作しようとすると、所望の操作を行えない可能性がある。【０００６】
本発明は上記課題に鑑みて為され、管理する対象の機器として特定のメーカの機器を選択しやすい機器制御装置等を提供することを目的とする。
【課題を解決するための手段】
【０００７】
本発明の一態様に係る機器制御装置は、建物内のネットワークに接続されている機器から前記機器のメーカ情報を含む機器情報を収集する収集部と、前記収集部が前記機器から収集した前記機器情報をもとに前記機器の機器名をユーザインタフェース装置の画面に表示させる表示制御部と、前記画面に機器名が表示された前記機器が管理対象として選択されると、選択された前記機器を記憶部に登録する登録処理部とを備え、前記表示制御部は、他メーカよりも優先度の高いメーカである特定メーカのメーカ情報を保持し、前記表示制御部は、前記機器のメーカ情報が前記特定メーカのメーカ情報に一致する場合、前記機器のメーカ情報が前記特定メーカのメーカ情報に一致しない場合よりも優先的に前記機器の機器名が視認されるように、前記機器の機器名を前記画面に表示させる。【０００８】
本発明の一態様に係る機器制御システムは、建物内のネットワークに接続されている機器から前記機器のメーカ情報を含む機器情報を収集する収集部と、前記収集部が前記機器から収集した前記機器情報をもとに前記機器の機器名をユーザインタフェース装置の画面に表示させる表示制御部と、前記画面に機器名が表示された前記機器が管理対象として選択されると、選択された前記機器を記憶部に登録する登録処理部とを備え、前記表示制御部は、他メーカよりも優先度の高いメーカである特定メーカのメーカ情報を保持し、前記表示制御部は、前記機器のメーカ情報が前記特定メーカのメーカ情報に一致する場合、前記機器のメーカ情報が前記特定メーカのメーカ情報に一致しない場合よりも優先的に前記機器の機器名が視認されるように、前記機器の機器名を前記画面に表示させる。【０００９】
また、本発明の一態様に係る機器制御方法は、建物内のネットワークに接続されている機器から前記機器のメーカ情報を含む機器情報を収集する収集ステップと、前記収集ステップで前記機器から収集した前記機器情報をもとに前記機器の機器名をユーザインタフェース装置の画面に表示させる表示制御ステップと、前記画面に機器名が表示された前記機器が管理対象として選択されると、選択された前記機器を記憶部に登録する登録処理ステップとを含み、前記表示制御ステップでは、前記機器のメーカ情報が、他メーカよりも優先度の高いメーカである特定メーカのメーカ情報に一致する場合、前記機器のメーカ情報が前記特定メーカのメーカ情報に一致しない場合よりも優先的に前記機器の機器名が視認されるように、前記機器の機器名を前記画面に表示させる。
【発明の効果】
【００１０】
本発明の一態様に係る機器制御装置等によれば、管理する対象の機器として特定のメーカの機器が選択されやすくなる。
【図面の簡単な説明】
【００１１】
【図１】図１は、実施形態の機器制御装置を用いたエネルギー管理システムのシステム構成図である。
【図２】図２は、実施形態の機器制御装置のブロック図である。
【図３】図３は、実施形態の機器制御装置のフローチャートである。
【図４】図４は、実施形態の機器制御装置がユーザインタフェース装置に表示させる画面の一例を示す図である。
【発明を実施するための形態】
【００１２】
以下、本実施形態に係る機器制御装置について図面を参照して説明する。ただし、以下に説明する構成は本発明の一例に過ぎない。本発明は、以下の実施形態に限定されず、本発明に係る技術的思想を逸脱しない範囲であれば、設計等に応じて種々の変更が可能である。
【００１３】
図１は本実施形態の機器制御装置１０を用いたエネルギー管理システムのシステム構成図である。
【００１４】
このエネルギー管理システムは、機器制御装置１０と、機器２０と、ＧＵＩ（Graphical User Interface）装置３０と、分電盤４０と、ブロードバンドルータ５０とを備える。このエネルギー管理システムは、住宅１００でのエネルギー（例えば電力）の利用状況を管理する。なおエネルギー管理システムが適用される建物は、戸建ての住宅１００に限定されず、集合住宅でもよいし、店舗でもよいし、オフィスビルなどでもよい。
【００１５】
機器制御装置１０は、いわゆるＨＥＭＳ（Home Energy Management System）コントローラである。機器制御装置１０は、住宅１００内に構築されたネットワーク６０を介して複数台の機器２０に接続されており、各機器２０と通信することによって、各機器２０の管理を行う。ここにおいて、機器２０の管理とは、機器２０の監視と機器２０の制御の両方を意味しているが、機器２０の監視又は機器２０の制御の何れかのみでもよい。機器制御装置１０は、複数の装置で構成される機器制御システムでもよい。
【００１６】
また、機器制御装置１０は、ブロードバンドルータ５０を介して広域ネットワーク２００に接続され、広域ネットワーク２００を介してサーバ３００との間で通信を行う。
【００１７】
機器２０は、住宅１００内に設置される機器であり、機器２０には、電力を消費する負荷機器と、電力を作り出す分散電源とがある。負荷機器には、例えば、エアコン２１、ヒートポンプ給湯器２２、照明器具（図示せず）、クッキングヒータ（図示せず）、及び、冷蔵庫（図示せず）などがある。分散電源には、例えば、燃料電池２３、及び、太陽光発電装置（図示せず）などがある。
【００１８】
近年、一般社団法人エコーネットコンソーシアムによってホームネットワーク用の通信規約の標準化が図られ、複数のメーカで共通的に使用される通信規約（以下、共通通信規約という。）に準拠した通信機能を有する機器２０が提供されつつある。そのため、機器制御装置１０は、共通通信規約に準拠した通信機能を有する機器２０であれば、自社の機器２０だけではなく、他メーカの機器２０の管理を行うこともができる。そのため、機器２０としては、機器制御装置１０と製造メーカが同じ機器２０もあれば、機器制御装置１０と製造メーカが異なる機器２０もある。
【００１９】
なお、機器２０は、ＬＡＮケーブルを介してブロードバンドルータ５０に接続されているが、ブロードバンドルータ５０と無線で通信してもよい。
【００２０】
ＧＵＩ装置３０には、住宅１００内に設置されたテレビジョン装置３１、ＨＥＭＳ専用のモニタ装置３２、及び、携帯型の端末装置３３（タブレット端末及びスマートフォンなど）などがある。ＧＵＩ装置３０は、住宅１００内のネットワーク６０を介して機器制御装置１０との間で通信を行い、機器制御装置１０から送信された画像データをもとに、機器２０を管理するための各種の画面を表示する。また、ＧＵＩ装置３０はタッチパネルのような入力部（図示せず）を備えている。この入力部を用いてユーザが何らかの操作を行うと、操作に応じた操作命令がＧＵＩ装置３０から機器制御装置１０に出力される。
【００２１】
分電盤４０には、主幹ブレーカ（図示せず）、分岐ブレーカ（図示せず）、及び、連系ブレーカ（図示せず）などが収納されている。主幹ブレーカの一次側には商用交流電源のような交流電源４００が接続されている。主幹ブレーカの二次側には複数台の分岐ブレーカが接続されている。分岐ブレーカによって分岐される分岐回路には上述の負荷機器が接続されており、分電盤４０から分岐回路に接続された負荷機器に電力が分配される。連系ブレーカには上述の分散電源が接続されており、分散電源によって発電された電力は、住宅１００内の負荷機器で使用されるか、又は、電力系統へと逆潮流される。なお、分電盤４０は、機器制御装置１０に電力を供給してもよい。
【００２２】
次に、機器制御装置１０の構成を図２に基づいてより詳細に説明する。
【００２３】
機器制御装置１０は、入力受理部１１と、機器検出部１２と、タイマ部１３と、表示制御部１４と、出力部１５と、登録処理部１６と、管理処理部１７と、第１記憶部１８と、第２記憶部１９とを備える。これらは、それぞれ任意の構成要素である。これらのうち一部はなくてもよいし、他の装置によって実装されてもよい。例えば、機器制御装置１０は、これらの構成要素のうち、機器検出部１２、表示制御部１４、及び、登録処理部１６のみを備えてもよい。
【００２４】
入力受理部１１は、ＧＵＩ装置３０から入力される操作命令を受け付け、受け付けた操作命令を機器検出部１２、登録処理部１６、又は管理処理部１７に出力する。
【００２５】
機器検出部１２は、住宅１００内のネットワーク６０に接続されている機器２０と通信を行うことによって、メーカ情報を含む機器情報を機器２０から収集する。
【００２６】
タイマ部１３は、所定の時間のカウントを行う。
【００２７】
表示制御部１４は、ＧＵＩ装置３０に表示させるための画像データを作成する。表示制御部１４は、第２記憶部１９に情報を保持してもよい。具体的には、表示制御部１４は、特定メーカのメーカ情報を保持してもよい。
【００２８】
出力部１５は、表示制御部１４が作成した画像データをＧＵＩ装置３０に出力する。
【００２９】
登録処理部１６は、ＧＵＩ装置３０に表示された画面において、ＧＵＩ装置３０からの操作命令にしたがって、管理対象の機器２０を第１記憶部１８に登録する処理を行う。
【００３０】
管理処理部１７は、第１記憶部１８に管理対象として登録された機器２０と通信を行うことによって、管理対象の機器２０の管理（監視及び制御）を行う。
【００３１】
第１記憶部１８は、例えばＥＥＰＲＯＭ（Electrically Erasable and Programmable Read Only Memory）のような、電気的に書き換え可能な不揮発性メモリからなる。第１記憶部１８は、ネットワーク６０に接続されている機器２０の情報、及び、ネットワーク６０に接続されている機器２０のうち管理対象の機器２０の情報などを記憶する。なお本実施形態では、機器制御装置１０が、管理対象とする機器２０を記憶する第１記憶部１８を備えているが、機器制御装置１０にネットワーク６０を介して接続される外部記憶装置（図示せず）に管理対象とする機器２０の情報を記憶させてもよい。また、第１記憶部１８は、登録処理部１６に含まれていてもよい。
【００３２】
第２記憶部１９は、例えばＥＥＰＲＯＭのような電気的に書き換え可能な不揮発性メモリからなる。第２記憶部１９は、ネットワーク６０に接続されている機器２０をＧＵＩ装置３０に表示させる場合に、他の機器２０に比べて優先的に視認されるような表示を行う機器２０を判定するために使用される判定情報を記憶する。本実施形態では、第２記憶部１９に判定情報として特定メーカのメーカ情報があらかじめ保持されている。なお本実施形態では、特定メーカのメーカ情報として、機器制御装置１０の製造メーカであるメーカＡのメーカ情報が第２記憶部１９に保持されている。なお、第１記憶部１８と第２記憶部１９とは別々のメモリで構成されてもよいが、第１記憶部１８と第２記憶部１９とが１つのメモリで構成されてもよい。第２記憶部１９は、機器制御装置１０の外部に配置されてもよいし、表示制御部１４の内部に配置されてもよい。
【００３３】
ところで、機器制御装置１０により機器２０の動作を管理（監視又は制御）することが可能であるが、機器制御装置１０によって管理できる機器２０の台数には制限がある。そこで、本実施形態の機器制御装置１０を用いて機器２０を管理する場合には、まず、ＧＵＩ装置３０を用いて管理対象の機器２０を機器制御装置１０に登録する必要がある。
【００３４】
ここで、ＧＵＩ装置３０を用いて、ネットワーク６０に接続された複数台の機器２０の中から、管理対象の機器２０を機器制御装置１０に登録する処理について、図３及び図４を参照して説明する。なお、ここでは、前提として、各機器２０をネットワーク６０に接続するための設定は完了し、機器制御装置１０と各機器２０との間でネットワーク６０を経由した通信が行える状態になっている。
【００３５】
ＧＵＩ装置３０の画面（図示せず）には、管理対象とする機器２０を登録する処理（以下、登録処理という。）を開始させるためのアイコンが表示されている。ＧＵＩ装置３０において登録処理を開始させるためのアイコンが操作されると、ＧＵＩ装置３０から機器制御装置１０へ登録処理の開始命令が送信される。
【００３６】
なお、機器２０が登録ボタンを備え、この登録ボタンが押されると機器２０から機器制御装置１０に登録処理を開始させる開始命令が送信され、この開始命令を受けて機器制御装置１０が登録処理を開始してもよい。また、機器２０をネットワーク６０に接続して、機器２０の電源スイッチをオンにすると、機器２０から機器制御装置１０に登録処理を開始させる信号が自動的に送信され、この開始命令を受けて機器制御装置１０が登録処理を開始してもよい。
【００３７】
ＧＵＩ装置３０から送信された登録処理の開始命令は入力受理部１１によって受信され、この開始命令は入力受理部１１から機器検出部１２及び登録処理部１６に出力される。
【００３８】
機器検出部１２は、入力受理部１１から登録処理の開始命令が入力されると、ネットワーク６０に接続された全ての機器２０に機器情報の送信を要求する要求信号を送信する。機器検出部１２は、機器情報の送信を要求する要求信号を送信すると、タイマ部１３に一定時間（例えば１５秒）のカウントを開始させる。
【００３９】
各機器２０は、機器情報の送信を要求する要求信号を受信すると、要求元の機器制御装置１０に機器情報を送信する。この機器情報には、機器２０の製造メーカを示すメーカ情報と、機器２０の種類（空調、照明などの用途）を示す種別情報と、同一種別の機器２０において個々の機器２０を一意に特定するための識別番号と、機器２０の状態を示すプロパティなどが含まれている。
【００４０】
機器検出部１２は、機器情報の送信を要求する要求信号を送信してから、タイマ部１３が一定時間のカウントを終了するまでの間、機器情報の受信待ちを行う。タイマ部１３が一定時間のカウントを終了すると、機器検出部１２は、この間に受信した機器情報を表示制御部１４に出力する。
【００４１】
表示制御部１４は、機器検出部１２から機器情報が入力されると、機器情報が入力された全ての機器２０の機器名を一覧表示し、その中から登録した機器２０を選択させる機器登録用の画面を作成する。ここで、表示制御部１４が機器登録用の画面を作成する手順について図３のフローチャートを参照して説明する。
【００４２】
表示制御部１４は、機器検出部１２から入力された機器情報をもとに、ネットワーク６０に接続されている全ての機器２０を検出する。表示制御部１４は、上記の一定時間中に機器検出部１２が機器情報を受信した機器２０の各々について、機器情報に含まれるメーカ情報と、第２記憶部１９に記憶された特定メーカのメーカ情報とを比較する（ステップＳ１）。
【００４３】
表示制御部１４は、機器情報に含まれるメーカ情報が特定メーカのメーカ情報と同一であれば（ステップＳ１でＹｅｓ）、この機器２０の機器名を画面の最上位（一番上）に配置する（ステップＳ２）。表示制御部１４は、機器情報に含まれるメーカ情報が特定メーカのメーカ情報と一致しなければ（ステップＳ１でＮｏ）、この機器２０の機器名を画面の最後（一番下）に配置する（ステップＳ３）。
【００４４】
表示制御部１４は、一定時間中に機器情報を受信した複数台の機器２０の全てについてステップＳ１〜Ｓ３までの処理を行うと、ステップＳ１〜Ｓ３で決定した表示順序で機器２０の機器名などを表示する画面の画像データを作成する。表示制御部１４が作成した画像データは出力部１５からＧＵＩ装置３０に送信され、ＧＵＩ装置３０に表示される（ステップＳ４）。
【００４５】
図４は、表示制御部１４によって作成された登録処理用の画面の一例であり、この画面の中央にはネットワーク６０に接続されている機器２０の一覧表３０１が表示されている。この一覧表３０１には、複数台の機器２０の機器情報が上下に並べて表示されている。一覧表３０１の左から１番目の列３１０には、登録したい機器２０を選択するためのチェックボックス３１１が表示されている。一覧表３０１の左から２番目の列３２０には機器２０のメーカ情報及び識別番号が表示されている。一覧表３０１の左から３番目の列３３０には機器２０の機器名が表示されている。一覧表３０１の左から４番目の列３４０には機器２０の動作状態（例えばＯＮ、ＯＦＦなど）が表示されている。
【００４６】
図４の画面では一度に４台分の機器２０の機器情報しか表示できないため、一覧表３０１の右側には、表示範囲を上側又は下側にスクロールさせるスクロールバー３０２が表示されている。スクロールバー３０２の上側には、機器２０の表示範囲を上側にスクロールさせる上矢印ボタン３０３が表示されている。スクロールバー３０２の下側には、機器２０の表示範囲を下側にスクロールさせる下矢印ボタン３０４が表示されている。一覧表３０１の下側には、選択した機器２０を登録するために操作される決定ボタン３０５と、登録処理を中止するために操作される中止ボタン３０６とが表示されている。
【００４７】
なお、機器制御装置１０は、機器情報の送信を要求する要求信号を送信してから一定時間は機器情報の受信待ちを行い、一定時間が経過すると、この間に機器情報を受信した機器２０の一覧表示を行っている。しかし、機器２０の一覧を表示する仕方はこれに限定されない。
【００４８】
例えば、機器検出部１２は、機器情報の送信を要求する要求信号を送信すると、タイマ部１３に上記の一定時間よりも短い待機時間（例えば５秒）のカウントを開始させ、機器情報の受信待ちを行う。機器検出部１２は、タイマ部１３が待機時間のカウントを終了するまでの間に、何れかの機器２０から機器情報を受信すると、タイマ部１３をリセットして、再び待機時間のカウントを開始させ、機器情報の受信待ちを行う。機器検出部１２は、タイマ部１３が待機時間のカウントを終了するまでの間に何れの機器２０からも機器情報を受信できなければ、全ての機器２０から機器情報を受信したと判断し、機器情報の受信待ちを終了する。
【００４９】
ここで、機器検出部１２が全ての機器２０から機器情報を受信した後に、表示制御部１４は、特定メーカの機器２０の機器情報が、他メーカの機器２０の機器情報よりも上側に配置されるような画像データを作成し、ＧＵＩ装置３０に表示させてもよい。
【００５０】
また、機器検出部１２が機器情報を１件受信するごとに、表示制御部１４が、新たに受信した機器情報を一覧表３０１の最後（一番下）に追加するように画像データを更新してもよい。更新した画像データは出力部１５からＧＵＩ装置３０に出力され、ＧＵＩ装置３０の画面が更新される。そして、機器検出部１２が全ての機器２０から機器情報を受信すると、表示制御部１４は、特定メーカ（メーカＡ）の機器２０の機器情報が、他メーカの機器２０の機器情報よりも上側に配置されるように、表示順序を並べ替えた画像データを作成する。この画像データは出力部１５からＧＵＩ装置３０に出力され、ＧＵＩ装置３０に表示される。
【００５１】
また、機器検出部１２が機器情報を１件受信するごとに、表示制御部１４が、特定メーカ（メーカＡ）の機器２０の機器情報が、他メーカの機器２０の機器情報よりも上側に配置されるように、表示順序を並べ替えた画像データを作成してもよい。この画像データは出力部１５からＧＵＩ装置３０に出力され、ＧＵＩ装置３０の画面が更新される。これにより、機器検出部１２が機器情報を１件受信するごとに、特定メーカの機器２０の機器情報が、他メーカの機器２０の機器情報よりも上側に配置されるように表示順序が並べ替えられた画像をＧＵＩ装置３０に表示させることができる。
【００５２】
上述のように、表示制御部１４は、特定メーカであるメーカＡの機器２０の機器情報（機器名を含む）を、メーカＡ以外の機器２０の機器情報よりも上側に表示させており、メーカＡの機器２０の機器情報が優先的に視認されるような表示となっている。したがって、図４の表示例ではメーカＡのエアコンＡ及び燃料電池Ａが、メーカＢのエアコンＢ、及び、メーカＣのヒートポンプ給湯器Ａよりも上側に表示されている。特定メーカであるメーカＡの機器２０は一覧表３０１の上側に表示されているので、メーカＡの機器２０を選択する場合に機器２０の表示範囲をスクロールさせる手間が少なくて済み、メーカＡの機器２０を選択する操作が簡単になる。
【００５３】
なお、優先的に視認される表示とは、一覧表３０１の上側（先頭）に表示することに限定されず、異なる表示形式で表示することでもよい。異なる表示形式とは、文字の色、装飾（例えば網掛け表示及びアンダーラインなど）、及び、点滅状態などを異ならせることを意味する。
【００５４】
ユーザは、ＧＵＩ装置３０を操作して、画面上に登録したい機器２０を表示させた後、この機器２０のチェックボックス３１１にチェックを入れる。登録したい機器２０のチェックボックス３１１にチェックを入れた後、決定ボタン３０５を操作すると、チェックボックス３１１にチェックが入れられた機器２０の機器情報がＧＵＩ装置３０から機器制御装置１０に送信される。
【００５５】
ＧＵＩ装置３０から機器制御装置１０に送信された機器２０の機器情報は入力受理部１１によって受信され、入力受理部１１から登録処理部１６に出力される。登録処理部１６は、入力受理部１１が受信した機器情報を第１記憶部１８に記憶させる。下記の表１は、第１記憶部１８に記憶された機器情報の一例である。第１記憶部１８には、管理対象として登録された機器２０の種別情報、メーカ情報、識別番号、機器名、及び、登録日時などが記憶される。なお、ＧＵＩ装置３０を用いて、ある機器２０が管理対象から削除されると、登録処理部１６は、削除された機器２０の機器情報を第１記憶部１８から削除する。
【００５６】
【表１】
2016038882.tif 000003
【００５７】
機器２０の登録処理が終了すると、管理処理部１７は、第１記憶部１８に機器情報が登録されている機器２０の管理（監視又は制御）を行う。例えば、機器制御装置１０は、管理対象の機器２０から動作状態を定期的に取得し、ＧＵＩ装置３０に表示させる。また、ＧＵＩ装置３０を用いて管理対象の機器２０の動作状態を変更する操作が行われると、ＧＵＩ装置３０から機器制御装置１０へ操作対象の機器２０を特定する情報（例えば機器名、種別情報、識別番号など）と操作内容とを含めた操作信号が送信される。
【００５８】
この操作信号が入力受理部１１によって受信されると、管理処理部１７は、操作内容に応じた制御信号を作成して、この制御信号を操作対象の機器２０に送信する。操作対象の機器２０は、機器制御装置１０から制御信号を受信すると、制御信号に応じた動作を行っており、ＧＵＩ装置３０を用いた操作内容に応じて動作する。
【００５９】
また、本実施形態の機器制御装置１０において、第２記憶部１９に、判定情報として、特定メーカのメーカ情報と、上述した共通通信規約の標準仕様に準拠している機器のリスト（いわゆるホワイトリスト）とが記憶されてもよい。なお、機器制御装置１０は定期的にサーバ３００にアクセスしており、サーバ３００から最新のリストを取得して、第１記憶部１８に保存しておけばよい。
【００６０】
この場合、表示制御部１４は、メーカ情報が特定メーカのメーカ情報に一致する機器２０の機器名が、メーカ情報が特定メーカのメーカ情報に一致しない機器２０の機器名よりも、優先的に視認されるような表示を行う。さらに、表示制御部１４は、機器２０の機器情報に含まれるメーカ情報及び種別情報をもとに、第２記憶部１９に記憶されているリストを参照し、この機器２０が共通通信規約の標準仕様に準拠しているか否かを判断する。そして、表示制御部１４は、共通通信規約の標準仕様に準拠している機器２０が、共通通信規約の標準仕様に準拠していない機器２０よりも優先的に視認されるような表示を行っている。
【００６１】
例えば、表示制御部１４は、特定メーカの機器２０の機器名を、特定メーカ以外の機器２０の機器名よりも上側に表示させ、且つ、共通通信規約の標準仕様に準拠している機器２０を、標準仕様に準拠していない機器２０と異なる色で表示させる。これにより、特定メーカの機器２０の中でも、共通通信規約の標準仕様に準拠している機器２０は、さらに優先的に視認されるように表示される。したがって、特定メーカの機器２０であって、共通通信規約の標準仕様に準拠している機器２０を視認しやすくなる。よって、特定メーカの機器２０であって、共通通信規約の標準仕様に準拠している機器２０を管理対象として選択する作業が行いやすくなる。
【００６２】
なお、共通通信規約の標準仕様に準拠していない機器２０の場合、機器制御装置１０が機器２０を監視したり制御したりする機能の一部がサポートされておらず、機器制御装置１０が機器２０を監視したり制御したりする機能が制限される可能性がある。したがって、管理対象として、共通通信規約の標準仕様に準拠した機器２０が選択される方が好ましい。これにより、標準仕様でサポートされている全ての機能を利用して機器制御装置１０が機器２０を管理（監視及び制御）することができる。
【００６３】
また、表示制御部１４は、共通通信規約の標準仕様に準拠していない機器２０の機器名を、共通通信規約の標準仕様に準拠している機器２０の機器名よりも、画面の下側に表示させてもよい。機器２０を登録する画面において、共通通信規約の標準仕様に準拠していない機器２０が選択されにくくなり、結果的に共通通信規約の標準仕様に準拠している機器２０が選択されやすくなる。
【００６４】
例えば、最も上に、特定メーカの機器２０であって、共通通信規約の標準仕様に準拠している機器２０が表示される。次に、特定メーカの機器２０であって、共通通信規約の標準仕様に準拠していない機器２０が表示される。次に、特定メーカ以外の機器２０であって、共通通信規約の標準仕様に準拠している機器２０が表示される。そして、最も下に、特定メーカ以外の機器２０であって、共通通信規約の標準仕様に準拠していない機器２０が表示される。
【００６５】
あるいは、最も上に、特定メーカの機器２０であって、共通通信規約の標準仕様に準拠している機器２０が表示され、次に、特定メーカ以外の機器２０であって、共通通信規約の標準仕様に準拠している機器２０が表示されてもよい。そして、次に、特定メーカの機器２０であって、共通通信規約の標準仕様に準拠していない機器２０が表示され、最も下に、特定メーカ以外の機器２０であって、共通通信規約の標準仕様に準拠していない機器２０が表示されてもよい。
【００６６】
また、本実施形態の機器制御装置１０において、特定メーカ（機器制御装置１０の製造メーカであるメーカＡ）以外のメーカについて、メーカごとに優先度が設定されていてもよい。下記の表２は、第２記憶部１９に登録された優先度の一例である。表２に示す優先度は１から５までの５段階で表され、数字が小さいほど優先度が高く、機器制御装置１０の製造メーカであるメーカＡには最も高い優先度「１」が割り当てられている。
【００６７】
【表２】
2016038882.tif 000004
【００６８】
ここで、表示制御部１４は、機器登録用の画面の画像データを作成する際に、機器２０ごとに機器情報に含まれるメーカ情報をもとに優先度を決定し、優先度が高い機器２０は、優先度が低い機器２０に比べて、より優先的に視認されるように表示させてもよい。例えば、表示制御部１４は、優先度が相対的に高い機器２０の機器情報が、優先度が相対的に低い機器２０の機器情報よりも画面の上側に配置されるように、配置順序を決定してもよい。この場合でも、優先度が最も高いメーカＡ（特定メーカ）の機器２０の機器情報は、画面の一番上側に配置される。したがって、機器２０の機器情報は、最も優先的に視認されるように表示される。
【００６９】
以上、本発明に係る機器制御装置１０について、実施形態に基づいて説明したが、本発明は、実施形態に限定されない。実施形態に対して当業者が思いつく変形を施して得られる形態、及び、実施形態における複数の構成要素を任意に組み合わせて実現される別の形態も本発明に含まれる。
【００７０】
例えば、特定の構成要素が実行する処理を別の構成要素が実行してもよい。また、処理を実行する順番が変更されてもよいし、複数の処理が並行して実行されてもよい。
【００７１】
また、機器制御装置１０における複数の構成要素は、複数の装置に分散して配置されていてもよい。これにより、機器制御装置１０の複数の機能が、複数の装置に分散される。例えば、複数の構成要素は、それぞれ別々の装置であってもよい。
【００７２】
また、例えば、機器制御装置１０における複数の構成要素のうち、いくつかの構成要素が住宅１００の外部のサーバ装置に配置され、残りの構成要素が住宅１００の内部の制御装置に配置されてもよい。これにより、住宅１００の外部のサーバ装置と住宅１００の内部の制御装置とが、機器制御装置１０の複数の機能を分担することができる。
【００７３】
そして、分散して配置された複数の構成要素が機器制御システムを構成してもよい。すなわち、機器制御装置１０は、複数の装置で構成される機器制御システムでもよい。
【００７４】
また、本発明は、機器制御装置１０として実現できるだけでなく、機器制御装置１０を構成する各構成要素が行うステップ（処理）を含む機器制御方法として実現できる。
【００７５】
例えば、それらのステップは、コンピュータ（コンピュータシステム）によって実行される。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００７６】
例えば、本発明が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリ又は入出力回路等から取得して演算したり、演算結果をメモリ又は入出力回路等に出力したりすることによって、各ステップが実行される。
【００７７】
また、機器制御装置１０等に含まれる複数の構成要素は、それぞれ、専用又は汎用の回路として実現されてもよい。これらの構成要素は、１つの回路として実現されてもよいし、複数の回路として実現されてもよい。
【００７８】
また、機器制御装置１０等に含まれる複数の構成要素は、集積回路（IC：Integrated Circuit）であるＬＳＩ（Large Scale Integration）として実現されてもよい。これらの構成要素は、個別に１チップ化されてもよいし、一部又は全てを含むように１チップ化されてもよい。ＬＳＩは、集積度の違いにより、システムＬＳＩ、スーパーＬＳＩ又はウルトラＬＳＩと呼称される場合がある。
【００７９】
また、集積回路はＬＳＩに限られず、専用回路又は汎用プロセッサで実現されてもよい。プログラム可能なＦＰＧＡ（Field Programmable Gate Array）、又は、ＬＳＩ内部の回路セルの接続及び設定が再構成可能なリコンフィギュラブル・プロセッサが、利用されてもよい。
【００８０】
さらに、半導体技術の進歩又は派生する別技術によりＬＳＩに置き換わる集積回路化の技術が登場すれば、当然、その技術を用いて、機器制御装置１０に含まれる複数の構成要素の集積回路化が行われてもよい。
【００８１】
以上説明したように、機器制御装置１０は、機器検出部（収集部）１２と、表示制御部１４と、登録処理部１６とを備える。機器検出部１２は、住宅（建物）１００内のネットワーク６０に接続されている機器２０から、この機器２０のメーカ情報を含む機器情報を収集する。表示制御部１４は、機器検出部１２が機器２０から収集した機器情報をもとに機器２０の機器名をＧＵＩ装置（ユーザインタフェース装置）３０の画面に表示させる。登録処理部１６は、画面に機器名が表示された機器２０が管理対象として選択されると、選択された機器２０を第１記憶部（記憶部）１８に登録する。表示制御部１４は、他メーカよりも優先度の高いメーカである特定メーカのメーカ情報を保持する。表示制御部１４は、機器２０のメーカ情報が特定メーカのメーカ情報に一致する場合、機器２０のメーカ情報が特定メーカのメーカ情報に一致しない場合よりも優先的に機器２０の機器名が視認されるように、機器２０の機器名を画面に表示させる。
【００８２】
これにより、ＧＵＩ装置３０の画面には、特定メーカの機器２０の機器名が、特定メーカ以外のメーカの機器２０の機器名よりも優先的に視認されるように表示される。したがって、特定メーカの機器２０が管理対象として選択されやすくなる。そして、これにより、例えば、機器制御装置１０に対して親和性が高い機器２０が選択され適切に制御される。
【００８３】
本実施形態において、機器検出部（収集部）１２は、それぞれが住宅（建物）１００内のネットワーク６０に接続されている機器２０である複数の機器２０のそれぞれから機器情報を受信することにより、複数の機器２０から機器情報を収集してもよい。表示制御部１４は、複数の機器２０の複数の機器名を画面に上下に並べて表示させてもよい。機器検出部（収集部）１２が機器情報を受信するたびに、表示制御部１４は、機器情報を受信した順番で機器名を表示させてもよい。そして、機器検出部１２が機器情報を収集する収集処理を終了した後に、表示制御部１４は、表示順序を並べ替えて、複数の機器名を画面に表示させてもよい。その際、表示制御部１４は、メーカ情報が特定メーカのメーカ情報に一致する機器２０の機器名が、メーカ情報が特定メーカのメーカ情報に一致しない機器２０の機器名よりも上側に表示されるように、表示順序を並べ替えてもよい。
【００８４】
これにより、機器検出部１２が機器情報を受信するごとに、機器情報を受信した機器２０の機器名が画面に追加して表示される。そして、機器検出部１２が全ての機器２０の機器情報を受信した後に、特定メーカの機器２０の機器名が、特定メーカ以外の機器２０の機器名よりも上側に表示されるように、表示順序が並べ替えられる。すなわち、機器制御装置１０は、受信時の処理量の増加を抑制しつつ、受信後に適切な表示順序で複数の機器名を表示することができる。
【００８５】
本実施形態において、機器検出部（収集部）１２は、それぞれが住宅（建物）１００内のネットワーク６０に接続されている機器２０である複数の機器２０のそれぞれから機器情報を受信することにより、複数の機器２０から機器情報を収集してもよい。表示制御部１４は、複数の機器２０の複数の機器名を画面に上下に並べて表示させてもよい。機器検出部（収集部）１２が機器情報を受信するたびに、表示制御部１４は、表示順序を並べ替えて、機器情報が受信された機器２０の機器名を画面に表示させてもよい。その際、表示制御部１４は、メーカ情報が特定メーカのメーカ情報に一致する機器２０の機器名が、メーカ情報が特定メーカのメーカ情報に一致しない機器２０の機器名よりも上側に表示されるように、表示順序を並べ替えてもよい。
【００８６】
これにより、機器検出部１２が機器情報を受信するごとに、特定メーカの機器２０の機器名が、特定メーカ以外の機器２０の機器名よりも上側に表示されるように、機器名の表示順序が並べ替えられる。すなわち、機器制御装置１０は、複数の機器２０の機器情報を受信しながら、適切な表示順序で複数の機器名を表示することができる。
【００８７】
本実施形態において、機器検出部（収集部）１２は、それぞれが住宅（建物）１００内のネットワーク６０に接続されている機器２０である複数の機器２０のそれぞれから機器情報を受信することにより、複数の機器２０から機器情報を収集してもよい。表示制御部１４は、複数の機器２０の複数の機器名を画面に上下に並べて表示させてもよい。そして、機器検出部（収集部）１２が機器情報を収集する収集処理を終了した後に、表示制御部１４は、複数の機器名を画面に表示させてもよい。その際、表示制御部１４は、メーカ情報が特定メーカのメーカ情報に一致する機器２０の機器名が、メーカ情報が特定メーカのメーカ情報に一致しない機器２０の機器名よりも上側に表示されるように、複数の機器名を画面に表示させてもよい。
【００８８】
これにより、機器検出部１２が全ての機器２０の機器情報を受信した後に、複数の機器名が表示される。その際、特定メーカの機器２０の機器名が、特定メーカ以外の機器２０の機器名よりも上側に表示される。すなわち、機器制御装置１０は、受信時の処理量の増加を抑制しつつ、受信後に適切な表示順序で複数の機器名を表示することができる。
【００８９】
本実施形態において、表示制御部１４は、複数のメーカで共通化された通信規約の標準仕様に準拠している機器のリストを保持してもよい。表示制御部１４は、機器情報が収集された機器２０がリストに含まれている場合、機器情報が収集された機器２０がリストに含まれていない場合とは異なる表示形式で機器２０の機器名を画面に表示させてもよい。
【００９０】
これにより、ＧＵＩ装置３０の画面には、複数のメーカで共通化された通信規約の標準仕様に準拠している機器２０が、優先的に視認されるように表示される。したがって、通信規約の標準仕様に準拠している機器２０が管理対象として選択されやすくなる。
【００９１】
本実施形態において、機器検出部（収集部）１２は、それぞれが住宅（建物）１００内のネットワーク６０に接続されている機器２０である複数の機器２０のそれぞれから機器情報を受信することにより、複数の機器２０から機器情報を収集してもよい。表示制御部１４は、複数のメーカで共通化された通信規約の標準仕様に準拠している機器のリストを保持してもよい。表示制御部１４は、複数の機器２０の複数の機器名を画面に上下に並べて表示させてもよい。表示制御部１４は、メーカ情報が特定メーカのメーカ情報に一致する機器２０について、リストに含まれていない機器２０の機器名よりも、リストに含まれている機器２０の機器名が上側に表示されるように、複数の機器名を画面に表示させてもよい。
【００９２】
これにより、ＧＵＩ装置３０の画面において、特定メーカの機器２０であって、リストに含まれている機器２０が、画面の上側に配置される。したがって、特定メーカの機器２０であって、リストに含まれている機器２０が、管理対象の機器２０として選択されやすくなる。
【００９３】
本実施形態において、機器検出部（収集部）１２は、それぞれが住宅（建物）１００内のネットワーク６０に接続されている機器２０である複数の機器２０のそれぞれから機器情報を受信することにより、複数の機器２０から機器情報を収集してもよい。表示制御部１４は、複数のメーカで共通化された通信規約の標準仕様に準拠している機器のリストを保持してもよい。表示制御部１４は、複数の機器２０の複数の機器名を画面に上下に並べて表示させてもよい。表示制御部１４は、メーカ情報が特定メーカのメーカ情報に一致しない機器２０について、リストに含まれている機器２０の機器名よりも、リストに含まれていない機器２０の機器名が下側に表示されるように、複数の機器名を表示させてもよい。
【００９４】
これにより、ＧＵＩ装置３０の画面において、リストに含まれていない機器２０は画面の下側に表示される。したがって、複数のメーカで共通化された通信規約の標準仕様に準拠していない機器２０が管理対象の機器２０として選択されにくくなる。
【００９５】
本実施形態において、表示制御部１４は、特定メーカ以外の複数のメーカのそれぞれに対して、表示の優先度を保持してもよい。表示制御部１４は、機器２０のメーカ情報が特定メーカのメーカ情報に一致しない場合において、次のように、機器２０の機器名を画面に表示させてもよい。すなわち、表示制御部１４は、機器２０のメーカが第２メーカよりも優先度の高い第１メーカである場合、機器２０のメーカが第２メーカである場合よりも優先的に視認されるように、機器２０の機器名を画面に表示させてもよい。
【００９６】
これにより、特定メーカ以外のメーカの機器２０についても、優先度が相対的に高い機器２０は、優先度が相対的に低い機器２０に比べて優先的に視認されるように表示される。したがって、管理対象の機器２０として、優先度が相対的に高い機器２０が選択されやすくなる。
【００９７】
本実施形態において、機器制御システムは、機器検出部（収集部）１２と、表示制御部１４と、登録処理部１６とを備える。機器検出部１２は、住宅（建物）１００内のネットワーク６０に接続されている機器２０から、この機器２０のメーカ情報を含む機器情報を収集する。表示制御部１４は、機器検出部１２が機器２０から収集した機器情報をもとに機器２０の機器名をＧＵＩ装置（ユーザインタフェース装置）３０の画面に表示させる。登録処理部１６は、画面に機器名が表示された機器２０が管理対象として選択されると、選択された機器２０を第１記憶部（記憶部）１８に登録する。表示制御部１４は、他メーカよりも優先度の高いメーカである特定メーカのメーカ情報を保持する。表示制御部１４は、機器２０のメーカ情報が特定メーカのメーカ情報に一致する場合、機器２０のメーカ情報が特定メーカのメーカ情報に一致しない場合よりも優先的に機器２０の機器名が視認されるように、機器２０の機器名を画面に表示させる。
【００９８】
これにより、ＧＵＩ装置３０の画面には、特定メーカの機器２０の機器名が、特定メーカ以外のメーカの機器２０の機器名よりも優先的に視認されるように表示される。したがって、特定メーカの機器２０が管理対象として選択されやすくなる。そして、これにより、例えば、機器制御システムに対して親和性が高い機器２０が選択され適切に制御される。
【００９９】
本実施形態において、機器制御方法は、住宅（建物）１００内のネットワーク６０に接続されている機器２０から機器２０のメーカ情報を含む機器情報を収集する収集ステップを含む。また、機器制御方法は、収集ステップで機器２０から収集した機器情報をもとに機器２０の機器名をＧＵＩ装置（ユーザインタフェース装置）３０の画面に表示させる表示制御ステップを含む。また、機器制御方法は、画面に機器名が表示された機器２０が管理対象として選択されると、選択された機器２０を第１記憶部（記憶部）１８に登録する登録処理ステップを含む。また、表示制御ステップでは、機器２０のメーカ情報が特定メーカのメーカ情報に一致する場合、機器２０のメーカ情報が特定メーカのメーカ情報に一致しない場合よりも優先的に機器２０の機器名が視認されるように、機器２０の機器名を画面に表示させる。ここで、特定メーカは、他メーカよりも優先度の高いメーカである。
【０１００】
これにより、ＧＵＩ装置３０の画面には、特定メーカの機器２０の機器名が、特定メーカ以外のメーカの機器２０の機器名よりも優先的に視認されるように表示される。したがって、特定メーカの機器２０が管理対象として選択されやすくなる。
【０１０１】
本実施形態において、プログラムは、機器制御方法をコンピュータに実行させるためのプログラムである。ここで、機器制御方法は、住宅（建物）１００内のネットワーク６０に接続されている機器２０から機器２０のメーカ情報を含む機器情報を収集する収集ステップを含む。また、機器制御方法は、収集ステップで機器２０から収集した機器情報をもとに機器２０の機器名をＧＵＩ装置（ユーザインタフェース装置）３０の画面に表示させる表示制御ステップを含む。また、機器制御方法は、画面に機器名が表示された機器２０が管理対象として選択されると、選択された機器２０を第１記憶部（記憶部）１８に登録する登録処理ステップを含む。また、表示制御ステップでは、機器２０のメーカ情報が特定メーカのメーカ情報に一致する場合、機器２０のメーカ情報が特定メーカのメーカ情報に一致しない場合よりも優先的に機器２０の機器名が視認されるように、機器２０の機器名を画面に表示させる。また、ここで、特定メーカは、他メーカよりも優先度の高いメーカである。
【０１０２】
これにより、ＧＵＩ装置３０の画面には、特定メーカの機器２０の機器名が、特定メーカ以外のメーカの機器２０の機器名よりも優先的に視認されるように表示される。したがって、特定メーカの機器２０が管理対象として選択されやすくなる。
【符号の説明】
【０１０３】
１０  機器制御装置
１２  機器検出部（収集部）
１４  表示制御部
１６  登録処理部
１８  第１記憶部（記憶部）
２０  機器
３０  ＧＵＩ装置（ユーザインタフェース装置）
６０  ネットワーク
１００  住宅（建物）
【図１】
2016038882.tif 000005
【図２】
2016038882.tif 000006
【図３】
2016038882.tif 000007
【図４】
2016038882.tif 000008
【国際調査報告】
2016038882.tif 000009
2016038882.tif 000010